(57)【要約】【課題】簡単な機器構成でありながら多彩な発光点滅パターンを表現することが可能で、かつ生産上も設置工事の際にも取扱い管理が容易な発光装置を提供する。【解決手段】複数台直列に接続した発光ユニットに同じ点滅制御パターンデータを記憶し、それぞれの発光ユニットで点滅制御パターンデータを読み出して発光点滅動作を実行する。各発光ユニットでは、直前に接続した発光ユニットからの同期信号を受けると、点滅制御パターンデータの読み出し位置を先頭に戻して発光点滅動作を行う。各発光ユニットには次段への同期信号の出力タイミングを規定するオフセット値を設定する手段を備える。【選択図】図１
2007171366.tif 000002
【特許請求の範囲】
【請求項１】
発光体を点滅することでイルミネーション発光を行う発光装置において、
発光体を多色発光可能に配置した発光部と、予め記憶した点滅制御パターンデータに基づいて前記発光体の点滅を制御するコントローラと、該コントローラと前記発光部とを接続すると共に発光部またはコントローラから外部へ導出する信号線と、から構成される発光ユニットを複数備え、
前記発光ユニットのコントローラには、
予め記憶された複数の点滅制御パターンデータの中から特定の点滅制御パターンデータを選択指定する点滅パターン切替手段と、
自発光ユニットから次段の発光ユニットへ、前記信号線を介して発光ユニットの点滅動作開始タイミングを規定する同期信号を出力する同期信号出力手段と、
前段の発光ユニットから前記信号線を介して入力される同期信号を受ける同期信号受信手段と、
該同期信号受信手段で受けた同期信号に基づき、前記点滅パターン切替手段で指定された点滅制御パターンデータに従って点滅動作を開始する制御手段と、
前記同期信号受信手段で同期信号を受けてから前記同期信号出力手段で同期信号を出力するまでに所定の時間差を与えるオフセット付与手段と、
該オフセット付与手段で与える時間差に対応するオフセット値を設定するオフセット値設定手段と、を備え、
前記信号線によって接続した複数の前記発光ユニットの各々に、前記点滅パターン切替手段により同一の点滅制御パターンデータを指定すると共に、前記同期信号を受けて各発光ユニットの点滅動作を開始することを特徴とする発光装置。
【請求項２】
前記点滅制御パターンデータが時系列で複数のステップに分割され、複数接続する発光ユニットのそれぞれの点滅動作開始タイミングに前記同期信号によって所定ステップ分のずれを与えることを特徴とする請求項１記載の発光装置。
【請求項３】
前記点滅制御パターンデータが時系列で複数のステップに分割され、前記オフセット値設定手段で設定するオフセット値に応じたステップ分の時間差を与えて前記同期信号出力出力手段より同期信号を出力することを特徴とする請求項１記載の発光装置。
【請求項４】
発光体を点滅することでイルミネーション発光を行う発光装置において、
発光体を多色発光可能に配置した発光部と、予め記憶した点滅制御パターンデータに基づいて前記発光体の点滅を制御するコントローラと、該コントローラと前記発光部とを接続した後に発光部から外部へ導出する信号線と、から構成される発光ユニットを複数備え、
前記発光ユニットのコントローラには、
予め記憶された複数の点滅制御パターンデータの中から特定の点滅制御パターンデータを選択指定する点滅パターン切替手段と、
自発光ユニットから次段の発光ユニットへ、前記信号線を介して発光ユニットの点滅動作開始タイミングを規定する同期信号を出力する同期信号出力手段と、
前段の発光ユニットから前記信号線を介して入力される同期信号を受ける同期信号受信手段と、
該同期信号受信手段で受けた同期信号に基づき、前記点滅パターン切替手段で指定された点滅制御パターンデータのデータを読み出して点滅動作を開始する制御手段と、
該制御手段において点滅動作を開始する際の前記点滅制御パターンデータからのデータ読み出し開始位置を指定するオフセット付与手段と、
該オフセット付与手段で指定する読み出し開始位置に対応するオフセット値を設定するオフセット値設定手段と、を備え、
前記信号線によって直列接続した複数の前記発光ユニットの各々に、前記点滅パターン切替手段により同一の点滅制御パターンデータを指定すると共に、前記同期信号を受けて、前記オフセット値設定手段で設定したオフセット値に対応する点滅制御パターンデータの位置から各発光ユニットの点滅動作を開始することを特徴とする発光装置。
【請求項５】
前記点滅制御パターンデータが時系列で複数のステップに分割され、該ステップを基準にして前記オフセット値設定手段のオフセット値を設定することを特徴とする請求項１または４何れか記載の発光装置。
【請求項６】
前記点滅制御パターンデータが時系列で複数のステップに分割され、前記オフセット値設定手段で設定したオフセット値に対応するステップから点滅制御パターンデータの読み出しを開始することを特徴とする請求項４記載の発光装置。
【請求項７】
前記点滅制御パターンデータが時系列で複数のステップに分割され、複数のステップの中の点灯データを持つ特定のステップを実行するタイミングで前記同期信号出力出力手段より同期信号を出力することを特徴とする請求項４記載の発光装置。
【発明の詳細な説明】
【技術分野】
【０００１】
本発明は、建物の壁面等にＬＥＤ等から成る発光体を複数取り付け、個々の発光体を所定の発光タイミングで点滅することでイルミネーション発光を行う発光装置に関する。
【背景技術】
【０００２】
発光体ごとに発光制御することで発光ライン全体を一斉に点滅させたり、中間色を混ぜながら発光色を徐々に変化させるグラデーション発光を行ったり、発光ラインに沿って光を流動表示する発光装置が知られている。
【０００３】
本出願人は既に先行技術１に示すように、発光装置と発光データ用編集装置とで構成する発光表示システムを提案しているが、この種の発光装置は大きく２種類に分けることができる。１つは、先行技術１のように発光点滅パターンを編集装置で作成することができ、発光装置側に記憶している発光点滅パターンを自由に書き換えることが可能な高機能タイプである。このタイプは、発光装置のオーナーや管理者が望むオリジナルの発光点滅パターンで発光表示を行うことができるという点が特長であるが、同時に編集装置の操作方法を習得する必要があったり、全体を制御するコントローラが必要であるなど機器構成が複雑化し、簡単さや手軽さを求める立場からすると機能過多で使いにくいという短所を抱えている。もう１つは、発光点滅パターンの作成機能を備えず、予め用意された発光パターンの中から選択して使用するタイプの装置である。このタイプは、機器構成が簡単である上に通電して発光点滅パターンを選択するだけで発光表示を行うことができるので、取扱いが簡単であり手軽に使いこなすことができるという特長を備えている。
【特許文献１】特開２００５−１５７０１８号
【発明の開示】
【発明が解決しようとする課題】
【０００４】
上記２タイプの後者の装置では、取扱いが簡単であることを優先する代償に、高機能タイプと比較すると必要最小限の機能だけを備えているという見方をすることもできる。発光点滅パターンを予め用意された中から選択するという点も機能を絞り込んだ中の１つであるが、どのような設置場所にもある程度マッチングする平均的な動作のパターンを複数用意していることから、点滅動作そのものについては用意された種類の中で十分活用することができる。
【０００５】
ところで、従来の装置では、発光ラインを構成する複数台の発光ユニットを発光点滅パターンに基づいて点滅制御する場合に次の様な方法で行っていた。まず第１の方法が、発光ラインを構成するそれぞれの発光ユニットごとに動きの異なる発光点滅パターンを記憶させておき、全ての発光ユニットで同時に点滅動作を開始することにより全体として見たときにひとつの発光点滅パターンを表現するものである。そして２つめの方法は、発光ラインを構成する複数の発光ユニットに記憶させる発光点滅パターンは全く同一内容としておきながら、複数台の発光ユニットのそれぞれに独立した個別の絶対アドレスを割り付けておき、各発光ユニットは自分に付されたアドレスに応じて発光点滅パターンの読み出し開始位置を変えることで全体としてひとつの発光点滅パターンを表現するものである。
【０００６】
確かにこれら方法によれば、発光ラインを構成する複数の発光ユニット全体を一括して制御するコントローラを必要とせずに、発光ライン全体でひとつの発光点滅パターンを表現することが可能である。しかしながら、上記２つの方法にはそれぞれ次のような問題があった。第１の方法では、発光ユニットごとに発光点滅パターンを用意して記憶させる必要があり、発光ユニット１つ１つがそれぞれ異なる別物となってしまい、生産上も設置工事の際にも取扱い管理が困難である。また第２の方法では、各発光ユニットが記憶する発光点滅パターンは共通になるものの、各発光ユニットに個別の絶対アドレスを割り付ける必要があり、生産時にアドレス設定を行う場合にも設置工事の際に取付状態に応じてディップスイッチ等でアドレス設定を行う場合にもやはり取扱い管理が困難である。
【０００７】
本発明は上記のような従来技術が抱える問題点を解決することを課題としており、簡単な機器構成でありながら多彩な発光点滅パターンを表現することが可能で、かつ生産上も設置工事の際にも取扱い管理が容易な発光装置を提供することを目的としている。
【課題を解決するための手段】
【０００８】
本発明は、上記課題を解決するために、（１）発光体を点滅することでイルミネーション発光を行う発光装置において、発光体を多色発光可能に配置した発光部と、予め記憶した点滅制御パターンデータに基づいて前記発光体の点滅を制御するコントローラと、該コントローラと前記発光部とを接続すると共に発光部またはコントローラから外部へ導出する信号線と、から構成される発光ユニットを複数備え、前記発光ユニットのコントローラには、予め記憶された複数の点滅制御パターンデータの中から特定の点滅制御パターンデータを選択指定する点滅パターン切替手段と、自発光ユニットから次段の発光ユニットへ、前記信号線を介して発光ユニットの点滅動作開始タイミングを規定する同期信号を出力する同期信号出力手段と、前段の発光ユニットから前記信号線を介して入力される同期信号を受ける同期信号受信手段と、該同期信号受信手段で受けた同期信号に基づき、前記点滅パターン切替手段で指定された点滅制御パターンデータに従って点滅動作を開始する制御手段と、前記同期信号受信手段で同期信号を受けてから前記同期信号出力手段で同期信号を出力するまでに所定の時間差を与えるオフセット付与手段と、該オフセット付与手段で与える時間差に対応するオフセット値を設定するオフセット値設定手段と、を備え、前記信号線によって接続した複数の前記発光ユニットの各々に、前記点滅パターン切替手段により同一の点滅制御パターンデータを指定すると共に、前記同期信号を受けて各発光ユニットの点滅動作を開始することを特徴とする発光装置を提案する。
【０００９】
また上記（１）提案の発光装置は、前記点滅制御パターンデータが時系列で複数のステップに分割され、複数接続する発光ユニットのそれぞれの点滅動作開始タイミングに前記同期信号によって所定ステップ分のずれを与えることが望ましい。
【００１０】
また上記（１）提案の発光装置は、前記点滅制御パターンデータが時系列で複数のステップに分割され、前記オフセット値設定手段で設定するオフセット値に応じたステップ分の時間差を与えて前記同期信号出力出力手段より同期信号を出力することが望ましい。
【００１１】
また、（２）発光体を点滅することでイルミネーション発光を行う発光装置において、発光体を多色発光可能に配置した発光部と、予め記憶した点滅制御パターンデータに基づいて前記発光体の点滅を制御するコントローラと、該コントローラと前記発光部とを接続した後に発光部から外部へ導出する信号線と、から構成される発光ユニットを複数備え、前記発光ユニットのコントローラには、予め記憶された複数の点滅制御パターンデータの中から特定の点滅制御パターンデータを選択指定する点滅パターン切替手段と、自発光ユニットから次段の発光ユニットへ、前記信号線を介して発光ユニットの点滅動作開始タイミングを規定する同期信号を出力する同期信号出力手段と、前段の発光ユニットから前記信号線を介して入力される同期信号を受ける同期信号受信手段と、該同期信号受信手段で受けた同期信号に基づき、前記点滅パターン切替手段で指定された点滅制御パターンデータのデータを読み出して点滅動作を開始する制御手段と、該制御手段において点滅動作を開始する際の前記点滅制御パターンデータからのデータ読み出し開始位置を指定する（可変する）オフセット付与手段と、該オフセット付与手段で指定する読み出し開始位置に対応するオフセット値を設定するオフセット値設定手段と、を備え、前記信号線によって直列接続した複数の前記発光ユニットの各々に、前記点滅パターン切替手段により同一の点滅制御パターンデータを指定すると共に、前記同期信号を受けて、前記オフセット値設定手段で設定したオフセット値に対応する点滅制御パターンデータの位置から各発光ユニットの点滅動作を開始することを特徴とする発光装置を提案する。
【００１２】
また上記（１）または（２）提案の発光装置は、前記点滅制御パターンデータが時系列で複数のステップに分割され、該ステップを基準にして前記オフセット値設定手段のオフセット値を設定することことが望ましい。
【００１３】
また上記（２）提案の発光装置は、前記点滅制御パターンデータが時系列で複数のステップに分割され、前記オフセット値設定手段で設定したオフセット値に対応するステップから点滅制御パターンデータの読み出しを開始することが望ましい。
【００１４】
また上記（２）提案の発光装置は、前記点滅制御パターンデータが時系列で複数のステップに分割され、複数のステップの中の点灯データを持つ特定のステップを実行するタイミングで前記同期信号出力手段より同期信号を出力することが望ましい。
【発明の効果】
【００１５】
本発明によれば、発光装置を構成する複数の発光ユニットを区別なく共通にすることができ、生産上も設置工事の際にも個別管理が不要となり取扱い管理が容易になる。また、接続した複数台の発光ユニット全体を制御するコントローラを必要としない簡単な機器構成でありながら、各発光ユニットにオフセット値を適宜設定するだけで、各発光ユニットが記憶する同じ内容の点滅制御パターンに変化を与えて多彩な動きで表示させることができる。また、接続する複数の発光ユニットは全て同じ構造であって、個々の発光ユニットのオフセット値を設定することで発光ライン全体の点滅動作を決定するようにしているため、個々の発光ユニットに固有の絶対アドレスを割り振る必要がなくなり、発光ユニットを追加接続する等の機器構成の拡張を容易に行うことができる。更に、発光ユニット間に相対的なアドレスを設定するだけで容易に機器構成を拡張することができるため、多数の発光ユニットを必要とする複雑な表現内容を持つ点滅制御パターンの表示や、発光ライン全体として細かな動きの表現を比較的簡単に行うことが可能になる。また、発光装置を構成する複数の発光ユニットの動きを合わせるための同期信号を、各発光ユニットが点灯しているときに出力するので、消灯しているタイミングで複数の発光ユニットを同期信号が経由していく際に発生する瞬間的な点灯現象を防ぐことができる。
以下、本発明の好適な実施形態を図面を参照しながら説明する。
【実施例】
【００１６】
（実施例１）
図１は本発明第１実施例に関わる発光装置の全体構成を示す説明図である。１は発光ユニットで、この発光ユニットは発光部２とコントローラ４によって構成されている。更に発光部２は、信号線５によって直列接続された１６個のライト３によって構成されている。ライト３は、図１中の部分拡大図に示すようにＲ（赤色）Ｇ（緑色）Ｂ（青色）ＬＥＤを備えており、各色ＬＥＤを１色あたり２５６段階の明るさで階調発光させることができ合計１６００万色の色を発光可能にしている。直列接続された１６個のライト３はコントローラ４に接続され、このコントローラに予め記憶された１６種類の点滅制御パターンデータに基づいて発光制御される。１６種類の点滅制御パターンには、「特定の色で発光し続けるパターン」「徐々に色を変えながら複数の色を表示していくパターン」「複数の色を瞬間的に切り替えて表示していくパターン」「１６個のランプを同時に点滅させながら一斉に色を変えていくパターン」「１６個のランプ全体の輝度を１／ｆゆらぎで変化させるパターン」等があり、コントローラ４に備えられたロータリースイッチを切り替えることによって所望の点滅制御パターンを選択することができる。なお、１つのコントローラに接続された１６個のランプは１つ１つ独立したものとして異なる発光色で個別に発光制御されるのではなく、発光部２を構成する１６個のランプ全体が１つの同じものとして発光制御される。そして、全体として１つの発光ユニット１を構成し、ＡＣアダプタ６を介して商用電源に接続される。
【００１７】
こうして構成される発光ユニット１は、異なる発光ユニット１と互いに接続することができる。１６個連続して直列接続した先端のランプ３から導出される信号線５を別の発光ユニット１’のコントローラに接続し、接続した発光ユニットのコントローラで同じ点滅制御パターンを選択することにより、１６個＋１６個で合計３２個のランプを同期させて発光させることか可能になる。更に別の発光ユニット１”を接続する場合には、同様にして繋げばよい。なお、発光ユニット１、１′、１″・・のコントローラには全て同じ内容の点滅制御パターンが記憶されており、複数台の発光ユニットを接続したときに各コントローラに同じ点滅制御パターンを設定できるようにしている。
【００１８】
次に図２を基にしてコントローラ４について詳細に説明する。コントローラ４には、点滅パターン切替手段たるパターン切替スイッチ４−１、輝度切替スイッチ４−２、速度切替スイッチ４−３、オフセット値設定手段たるスタートスイッチ４−４、選択ボタン４−５、決定ボタン４−６を備えている。パターン切替スイッチ４−１は、コントローラに予め記憶されている１６種類の点滅制御パターンの中から所望のパターンを選択するためのスイッチであり、１６接点のロータリースイッチにより１つのパターンを指定することができる。輝度切替スイッチ４−２は発光表示する際のＬＥＤの輝度を切り替えるスイッチであり、１６接点のロータリースイッチにより１６段階の明るさから選ぶことができる。速度切替スイッチ４−３は点滅制御パターンに基づいて行われる発光動作の動きの速さを切り替えるスイッチであり、１６接点のロータリースイッチにより１６段階の速さから選ぶことができる。スタートスイッチ４−４は、図１に示すように複数の発光ユニットを接続した場合に、各発光ユニットごとの発光動作の同期状態を切り替えるスイッチであり、１６接点のロータリースイッチにより互いに接続した他の発光ユニットとの同期状態を１５段階で指定することができる。この場合の同期状態とは、直列接続した複数の発光ユニットを稼働させる時の発光動作のずれを指している。複数の発光ユニットを接続した場合には、各発光ユニットの点滅制御パターンを同じパターンに統一するということは既に説明した通りであるが、点滅制御パターンに基づく発光動作を全ての発光ユニットで全く同じタイミングで行うのか、あるいは隣につながる発光ユニットから遅れて（進めて）行うのかを指定するのである。１６接点のロータリースイッチには時計回りに＋１〜＋７の段階が割り当てられ、また反時計回りに−１〜−７の段階が割り当てられている。＋１〜＋７の範囲で切り替えることによりプラス（＋１〜＋７）のオフセットを与え、発光動作を７つの段階で進めることができる。反対に−１〜−７の範囲で切り替えることによりマイナス（−１〜−７）のオフセットを与え、発光動作を７つの段階で遅らせることができる。ちなみにロータリースイッチの０時にあたる位置には、進みも遅れもないタイミングが一致した状態を割り当てている。なお、これらの動作に関する詳細は後述する。
【００１９】
選択ボタン４−５は、パターン切替スイッチ４−１で選択した特定の点滅制御パターンに初期設定されている発光色を所望の色に変更する場合に用いるボタンである。例えば、「固定色で発光し続けるパターン」などの発光色を指定する場合に、この選択ボタン４−５を２秒以上長押しすることで色指定モードに入り、同モードに入ることで機能が兼用となるロータリースイッチ４−２（青色調整）、４−３（緑色調整）、４−４（赤色調整）を操作して色を決め、最後に再び選択ボタン４−５を２秒以上長押しすれば色変更を完了させることができる。指定する色とロータリースイッチで入力する値との関係は、予め用意されている対照表を用いて各ロータリースイッチのダイヤル指定位置を所望の色に対応する数値に合わせればよい。決定ボタン４−６は、この色変更の操作を行う中で複数の色を指定できるような場合に、途中で１つ目の色や２つ目の色を決定するときに用いるボタンである。
【００２０】
次に、図３を基にしてコントローラ４の内部構成について説明する。７は同期信号受信手段たる同期信号受信回路で、前段の発光ユニットの発光部を構成するライトのうちの最後に位置する１６番目のライトから延出する信号線５と接続し、前段の発光ユニットから出力される同期信号を受信する。そしてこの同期信号受信回路は、同期信号の受信有無を制御手段８に出力する。制御手段８は同期信号受信回路７からの信号を受けて、前記パターン切替スイッチ４−１で選択された点滅制御パターンを記憶部９から読み出し、読み出したパターンに基づいて発光部２の点滅動作を開始する。１０はオフセット付与手段たるオフセット付与回路で、同期信号受信回路７で同期信号を受信した時点から、前記スタートスイッチ４−４で設定したオフセット値に応じた時間差をおいて同期信号出力回路１１に同期信号出力指示を与える。このとき、もしスタートスイッチ４−４で設定したオフセットがゼロであれば、同期信号受信回路７で前段の発光ユニットからの同期信号を受信すると同時に同期信号出力回路１１より次段の発光ユニットへ同期信号を出力する。こうして出力された同期信号は、発光部２を構成する１６個のライトを経由して次段の発光ユニットの同期信号受信回路へ到達するのである。
【００２１】
次に、図４を基にして本発明実施例の動作について説明する。図４は簡単な動作例を示したもので、直列接続した３つの発光ユニットにより、発光ユニット１、発光ユニット２、発光ユニット３の順番で、赤色の１回点滅を順番に行う場合のタイミングチャートを表している。赤色の１回点滅を発光ユニット１から発光ユニット３まで順番に行う発光動作が点滅制御パターンの１表示シーケンスであり、以降この表示シーケンスを繰り返し実行することで赤色点滅動作が現出される。本実施例では、１つの表示シーケンスを時系列に複数のステップに分割する点を特徴としており、図示の例では、３つのステップに分割している。そして、図示の例では先頭に位置する発光ユニット１と、真ん中に位置する発光ユニット２と、最後尾に位置する発光ユニット３のそれぞれにオフセット＋１が設定されている。これにより、各発光ユニットでステップ１つ分の発光点滅動作を実行した時点で次段の発光ユニットに同期信号を出力する動作を実行する。前段の発光ユニットからの同期信号を受けた発光ユニットは、自発光ユニットで記憶している点滅制御パターンの１表示シーケンスを最初から実行し、ステップ１つ分の発光点滅動作を実行した時点で次段の発光ユニットに同期信号を出力する。この動作を発光ユニット３まで実行し終えると、丁度、先頭の発光ユニット１が２回目の表示シーケンスを開始するのである。以上の例でもし各発光ユニットのそれぞれにオフセットが設定されておらずゼロであれば、３つの発光ユニットが同時に一回赤色点滅し、ステップ２つ分消灯した後に再度３つの発光ユニットが同時に一回赤色点滅する動作となる。
【００２２】
次に、図５を基にして、別の動作について説明する。図５は直列接続した３つの発光ユニットにより、赤色と青色を混色しながら徐々に輝度を高め、所定輝度に達した後に徐々に輝度を下げて瞬間的に消灯する発光動作を、発光ユニット１、発光ユニット２、発光ユニット３の順番で後段側ほど動作が遅れて開始されるように行う場合のタイミングチャートを表している。この場合の１表示シーケンスは７ステップに分割しており、それぞれの発光ユニットにはオフセット＋２が設定されている。これにより各発光ユニットでステップ２つ分の発光点滅動作を実行した時点で次段の発光ユニットに同期信号を出力し、上記発光動作が現出される。
【００２３】
次に、図６を基にして更に別の発光動作について説明する。図６（ａ）は発光点滅動作の１表示シーケンスを示しており、これにより「赤」「橙」「黄」「緑」「青」「藍」「紫」の順番で次々と色を変えながら点滅する動作が行われる。この場合の１表示シーケンスは７ステップに分割している。図６（ｂ）は７台の発光ユニットを直列接続し、先頭の発光ユニット１にオフセット＋１、次の発光ユニット２にオフセット＋１、次の発光ユニット３にオフセット＋１、次の発光ユニット４にオフセット−１、次の発光ユニット５にオフセット−１、次の発光ユニット６にオフセット−１、最後尾の発光ユニット７にオフセット−１を設定した場合のタイミングチャートを表している。図に示すように発光ユニット１から発光ユニット３は、それぞれ１表示シーケンスの先頭から１ステップ分の発光点滅動作を実行した時点で次段の発光ユニットに同期信号を出力する動作を実行し、発光ユニット４から発光ユニット７は、それぞれ１表示シーケンスの最終ステップの１つ前のステップが終了した時点で次段の発光ユニットに同期信号を出力する動作を実行する。これにより、７台接続した発光ユニットの両端の発光ユニットから中央へ向かって同じ色（例えば赤色）が収束していく動きを表現することができる。
【００２４】
以上のようにして、複数台直列接続した発光ユニットのそれぞれに固有のアドレスを設定することなく、相対的にオフセット値を設定するだけで多彩な点滅動作を行うことができる。なお、上記実施例では、同期信号出力回路１１から出力される同期信号と、発光部２を発光駆動するための点滅制御信号と、を互いに重畳して発光部２に送出し、発光部２を構成するランプの最後尾に位置するランプから延出する信号線を介して同期信号を次段の発光ユニットへ送り込むよう構成しているが、異なる発光ユニットのコントローラ同士を独立した専用の信号線で接続し、コントローラからコントローラへ（４から４′へ、４′から４″へ）直接送るよう構成しても良い。また、その時は発光部の最後尾に位置するランプから次段のコントローラへと接続する信号線は不要となる。
【００２５】
（実施例２）
次に本発明の第２実施例について図７、図８、図９を基にして説明する。発光装置全体の構成（図１）およびコントローラのスイッチの配置構成（図２）は第１実施例と同じであるので、説明を省略する。
【００２６】
図７に示すように、第２実施例では第１実施例に対してオフセット付与回路１０の配置とその作用の点で異なる。同期信号受信回路７で前段の発光ユニットからの同期信号を受信すると、同期信号の受信有無をオフセット付与回路１０及び同期信号出力回路１１に出力する。そしてオフセット付与回路１０は、同期信号の受信有無と、スタートスイッチ４−４で設定されているオフセット値とを制御手段８に出力する。これらの出力信号を受けた制御手段８はパターン切替スイッチ４−１で選択された点滅制御パターンを記憶部９から読み出し、オフセット付与回路１０から受けたオフセット値に対応するステップから点滅制御パターンデータの読み出しを開始して発光部２の点滅動作を行う。このとき制御手段８は、点滅制御パターンデータの１表示シーケンス中の点灯データが存在する特定の決まったタイミングで、同期信号出力回路１１に同期信号出力指示を与える。この出力指示を受けた同期信号出力回路１１は発光部２を構成する１６個のライトを介して次段の発光ユニットへ同期信号を出力する。これにより、発光部２が点灯しているときに同期信号出力回路１１から次段の発光ユニットへ同期信号が出力され、発光部２の各ランプ３を同期信号が経由していく際に発生する瞬間的な点灯現象を防ぐことができる。
【００２７】
次に図８を基にして第２実施例の動作について説明する。図８（ａ）は点滅制御パターンデータを示しており、１表示シーケンスは３つのステップに分割されている。この第２実施例は、発光ユニットに設定されたオフセット値に応じて点滅制御パターンデータの読み出し開始位置を変える点を特徴としており、図８（ａ）に示すように設定されたオフセット値がゼロであれば１表示シーケンスの先頭であるステップ１からデータの読み出しを開始し、プラス１であればステップ１の１つ前のステップ（すなわちステップ３）からデータの読み出しを開始し、マイナス１であればステップ２からデータの読み出しを開始する。そして同期信号は常にステップ１で出力される。図８（ｂ）は３台の発光ユニットを直列接続し、先頭の発光ユニット１にオフセット０、真ん中の発光ユニット２にオフセット＋１、最後尾の発光ユニット３にオフセット＋１を設定し、（ａ）の点滅制御パターンデータで発光点滅させる場合のタイミングチャートを表している。図に示すように、まずオフセット０が設定されている発光ユニット１でステップ１を実行し、それと同時に発光ユニット２に向けて同期信号を出力する。この同期信号を受けた発光ユニット２では、自ユニットにオフセット＋１が設定されていることからステップ１の１つ前のステップであるステップ３を実行し、続いてステップ１を実行したところで発光ユニット３に向けて同期信号を出力する。この同期信号を受けた発光ユニット３では、自ユニットにオフセット＋１が設定されていることからステップ１の１つ前のステップであるステップ３を実行する。これにより、赤色の１回点滅を発光ユニット１から発光ユニット３まで順番に行う動きが表現される。
【００２８】
次に図９を基にして第２実施例の別の動作について説明する。図９（ａ）は発光点滅動作の１表示シーケンスを示しており、これにより「赤」「橙」「黄」「緑」「青」「藍」「紫」の順番で次々と色を変えながら点滅する動作が行われる。この場合の１表示シーケンスは７ステップに分割しており、同期信号はステップ１で出力される。図９（ｂ）は７台の発光ユニットを直列接続し、先頭の発光ユニット１にオフセット０、次の発光ユニット２にオフセット−１、次の発光ユニット３にオフセット−１、次の発光ユニット４にオフセット−１、次の発光ユニット５にオフセット＋１、次の発光ユニット６にオフセット＋１、最後尾の発光ユニット７にオフセット＋１を設定した場合のタイミングチャートを表している。図に示すように、まずオフセット０が設定されている発光ユニット１でステップ１を実行し、それと同時に発光ユニット２に向けて同期信号を出力する。この同期信号を受けた発光ユニット２では、自ユニットにオフセット−１が設定されていることからステップ１の１つ後のステップであるステップ２を実行し、その後ステップ７まで順次実行して再びステップ１を実行したところで発光ユニット３に向けて同期信号を出力する。この同期信号を受けた発光ユニット３では、自ユニットにオフセット−１が設定されていることからステップ１の１つ後のステップであるステップ２を実行し、その後ステップ７まで順次実行して再びステップ１を実行したところで発光ユニット４に向けて同期信号を出力する。この同期信号を受けた発光ユニット４では、自ユニットにオフセット−１が設定されていることからステップ１の１つ後のステップであるステップ２を実行し、その後ステップ７まで順次実行して再びステップ１を実行したところで発光ユニット５に向けて同期信号を出力する。この同期信号を受けた発光ユニット５では、自ユニットにオフセット＋１が設定されていることからステップ１の１つ前のステップであるステップ７を実行し、続いてステップ１を実行したところで発光ユニット６に向けて同期信号を出力する。この同期信号を受けた発光ユニット６では、自ユニットにオフセット＋１が設定されていることからステップ１の１つ前のステップであるステップ７を実行し、続いてステップ１を実行したところで発光ユニット７に向けて同期信号を出力する。この同期信号を受けた発光ユニット７では、自ユニットにオフセット＋１が設定されていることからステップ１の１つ前のステップであるステップ７を実行する。以上により、７台接続した発光ユニットの中央である発光ユニット４から左右両端へ向けて特定の色が開いていく動きを表現することができる。
【００２９】
以上のようにして、第１実施例と同様、複数台直列接続した発光ユニットのそれぞれに固有のアドレスを設定することなく、相対的にオフセット値を設定するだけで多彩な点滅動作を行うことができる。なお、上記第２実施例では、オフセットの値を「−１」「０」「＋１」の３種類として説明したが、この値は適宜設定可能であり、また各発光ユニットに設定するオフセット値も適宜設定可能であることは言うまでもない。
【図面の簡単な説明】
【００３０】
【図１】本発明実施例に関わる発光装置の全体構成を示す説明図である。
【図２】コントローラ４のスイッチの配置を示す説明図である。
【図３】コントローラ４の内部構成を示すブロック図である。
【図４】発光点滅動作例を示す説明図である。
【図５】別の発光点滅動作例を示す説明図である。
【図６】更に別の発光点滅動作例を示す説明図である。
【符号の説明】
【００３１】
１    発光ユニット
２    発光部
３    ライト
４    コントローラ
４−１    点滅パターン切替手段たるパターン切替スイッチ
４−２    輝度切替スイッチ
４−３    速度切替スイッチ
４−４    オフセット値設定手段たるスタートスイッチ
４−５    選択ボタン
４−６    決定ボタン
５    信号線
６    ＡＣアダプタ
７    同期信号受信手段たる同期信号受信回路
８    制御手段
９    記憶部
１０    オフセット付与手段たるオフセット付与回路
１１    同期信号出力回路
【図１】
2007171366.tif 000003
【図２】
2007171366.tif 000004
【図３】
2007171366.tif 000005
【図４】
2007171366.tif 000006
【図５】
2007171366.tif 000007
【図６】
2007171366.tif 000008
【図７】
2007171366.tif 000009
【図８】
2007171366.tif 000010
【図９】
2007171366.tif 000011
【手続補正書】
【提出日】平成18年1月6日(2006.1.6)
【手続補正１】
【補正対象書類名】明細書
【補正対象項目名】００３０
【補正方法】変更
【補正の内容】
【００３０】
【図１】本発明実施例に関わる発光装置の全体構成を示す説明図である。
【図２】コントローラ４のスイッチの配置を示す説明図である。
【図３】コントローラ４の内部構成を示すブロック図である。
【図４】発光点滅動作例を示す説明図である。
【図５】別の発光点滅動作例を示す説明図である。
【図６】更に別の発光点滅動作例を示す説明図である。
【図７】本発明第２実施例に関わるコントローラ４の内部構成を示すブロック図である。
【図８】本発明第２実施例の発光点滅動作例を示す説明図である。
【図９】本発明第２実施例の別の発光点滅動作例を示す説明図である。